(57)【特許請求の範囲】
【請求項１】
テレビ放送番組において試験のための設問を設問番号ごとにスケジュールに従って提示する映像・音声コンテンツと、前記各設問に対応する正答データと、前記試験の実行のために必要な実行データとからなるデータコンテンツとを提供するコンテンツ提供システムと、
供給された前記映像・音声コンテンツと前記データコンテンツとをテレビ放送信号の形態で送信する放送システムと、
前記テレビ放送信号を受信して、前記映像・音声コンテンツとデータコンテンツとに分離して、データ・コンテンツに含まれる各種のデータを蓄積手段に蓄積し、該蓄積された前記各種のデータに基づいて試験の実行のために必要な処理を行なうとともに、映像・音声コンテンツに基づく設問を設問番号ごとに表示し、前記設問に対応して入力された解答と正答とを照合して採点の処理を行なう複数の受験者側受信装置と、
ネットワークを介して、各受験者側受信装置から送信されてきた採点結果を集計する処理を行なう集計サーバとを備えてなるテレビ放送を利用した情報システムであって、
前記放送システムが、
前記コンテンツ提供システムから供給された前記映像・音声コンテンツに基づいて、テレビ放送のための映像信号と音声信号とを生成する映像・音声信号生成手段と、
前記コンテンツ提供システムから供給される前記データコンテンツの中に含まれる個々のデータと、対応するデータ送出スケジュールとに基づいて、多重化すべきデータを生成するデータ生成手段と、
前記映像・音声信号生成手段から供給される前記映像信号と前記音声信号と、前記データ生成手段から供給される多重化すべきデータとを所定の形式で多重化して多重化信号を生成する多重化手段とから構成されていることを特徴とするテレビ放送を利用した情報システム。
【請求項２】
テレビ放送番組において試験のための設問を設問番号ごとにスケジュールに従って提示する映像・音声コンテンツと、前記各設問に対応する正答データと、前記試験の実行のために必要な実行データとからなるデータコンテンツとを提供するコンテンツ提供システムと、
供給された前記映像・音声コンテンツと前記データコンテンツとをテレビ放送信号の形態で送信する放送システムと、
前記テレビ放送信号を受信して、前記映像・音声コンテンツとデータコンテンツとに分離して、データ・コンテンツに含まれる各種のデータを蓄積手段に蓄積し、該蓄積された前記各種のデータに基づいて試験の実行のために必要な処理を行なうとともに、映像・音声コンテンツに基づく設問を設問番号ごとに表示し、前記設問に対応して入力された解答と正答とを照合して採点の処理を行なう複数の受験者側受信装置と、
ネットワークを介して、各受験者側受信装置から送信されてきた採点結果を集計する処理を行なう集計サーバとを備えてなるテレビ放送を利用した情報システムであって、
前記放送システムが、
前記コンテンツ提供システムから供給された前記映像・音声コンテンツに基づいて、テレビ放送のための映像信号と音声信号とを生成する映像・音声信号生成手段と、
前記データ・コンテンツの中に含まれる個々のデータを送出する際のデータ送出スケジュールが予め蓄積されているデータ送出スケジュールデータベースと、
前記コンテンツ提供システムから供給された前記データコンテンツの中に含まれる個々のデータと、前記データ送出スケジュールデータベースから読み出された対応するデータ送出スケジュールとに基づいて、多重化すべきデータを生成するデータ生成手段と、
前記映像・音声信号生成手段から供給される前記映像信号と前記音声信号と、前記データ生成手段から供給される多重化すべきデータとを所定の形式で多重化して多重化信号を生成する多重化手段とから構成されていることを特徴とするテレビ放送を利用した情報システム。
【請求項３】
テレビ放送番組において試験のための設問を設問番号ごとにスケジュールに従って提示する映像・音声コンテンツと、前記各設問に対応する正答データと、前記試験の実行のために必要な実行データとからなるデータコンテンツとを提供するコンテンツ提供システムと、
供給された前記映像・音声コンテンツと前記データコンテンツとをテレビ放送信号の形態で送信する放送システムと、
前記テレビ放送信号を受信して、前記映像・音声コンテンツとデータコンテンツとに分離して、データ・コンテンツに含まれる各種のデータを蓄積手段に蓄積し、該蓄積された前記各種のデータに基づいて試験の実行のために必要な処理を行なうとともに、映像・音声コンテンツに基づく設問を設問番号ごとに表示し、前記設問に対応して入力された解答と正答とを照合して採点の処理を行なう複数の受験者側受信装置と、
ネットワークを介して、各受験者側受信装置から送信されてきた採点結果を集計する処理を行なう集計サーバとを備えてなるテレビ放送を利用した情報システムであって、
前記放送システムが、
前記コンテンツ提供システムから供給された前記映像・音声コンテンツに基づいて、テレビ放送のための映像信号と音声信号とを生成する映像・音声信号生成手段と、
前記コンテンツ提供システムから供給される前記データコンテンツの中に含まれる個々のデータと、対応するデータ送出スケジュールとに基づいて、多重化すべきデータを生成するデータ生成手段と、
前記映像・音声信号生成手段から供給される前記映像信号と前記音声信号と、前記データ生成手段から供給される多重化すべきデータとを所定の形式で多重化して多重化信号を生成する多重化手段と、
前記多重化手段にて生成された前記多重化信号に同期信号を付加して前記テレビ放送信号を生成する送出手段とから構成されていることを特徴とするテレビ放送を利用した情報システム。
【請求項４】
テレビ放送番組において試験のための設問を設問番号ごとにスケジュールに従って提示する映像・音声コンテンツと、前記各設問に対応する正答データと、前記試験の実行のために必要な実行データとからなるデータコンテンツとを提供するコンテンツ提供システムと、
供給された前記映像・音声コンテンツと前記データコンテンツとをテレビ放送信号の形態で送信する放送システムと、
前記テレビ放送信号を受信して、前記映像・音声コンテンツとデータコンテンツとに分離して、データ・コンテンツに含まれる各種のデータを蓄積手段に蓄積し、該蓄積された前記各種のデータに基づいて試験の実行のために必要な処理を行なうとともに、映像・音声コンテンツに基づく設問を設問番号ごとに表示し、前記設問に対応して入力された解答と正答とを照合して採点の処理を行なう複数の受験者側受信装置と、
ネットワークを介して、各受験者側受信装置から送信されてきた採点結果を集計する処理を行なう集計サーバとを備えてなるテレビ放送を利用した情報システムであって、
前記放送システムが、
前記コンテンツ提供システムから供給された前記映像・音声コンテンツに基づいて、テレビ放送のための映像信号と音声信号とを生成する映像・音声信号生成手段と、
前記データ・コンテンツの中に含まれる個々のデータを送出する際のデータ送出スケジュールが予め蓄積されているデータ送出スケジュールデータベースと、
前記コンテンツ提供システムから供給された前記データコンテンツの中に含まれる個々のデータと、前記データ送出スケジュールデータベースから読み出された対応するデータ送出スケジュールとに基づいて、多重化すべきデータを生成するデータ生成手段と、
前記映像・音声信号生成手段から供給される前記映像信号と前記音声信号と、前記データ生成手段から供給される多重化すべきデータとを所定の形式で多重化して多重化信号を生成する多重化手段と、
前記多重化手段にて生成された前記多重化信号に同期信号を付加して前記テレビ放送信号を生成する送出手段とから構成されていることを特徴とするテレビ放送を利用した情報システム。
【請求項５】
前記試験の実行のために必要な実行データが、設問に対する解答を入力する際の操作を支援するための解答用紙に相当する情報であることを特徴とする請求項１、２、３又は４記載のテレビ放送を利用した情報システム。
【請求項６】
前記解答用紙に相当する情報が、前記放送システムから予めテレビ放送信号を介して各受験者側受信装置へ送信されたものであることを特徴とする請求項５記載のテレビ放送を利用した情報システム。
【請求項７】
前記解答用紙に相当する情報が、各受験者側受信装置において、予め前記情報を格納した蓄積媒体から取り込んだものであることを特徴とする請求項５記載のテレビ放送を利用した情報システム。
【請求項８】
前記正答データが、前記放送システムから予めテレビ放送信号によって各受験者側受信装置へ送信されたものであることを特徴とする請求項１、２、３又は４記載のテレビ放送を利用した情報システム。
【請求項９】
前記正答データが、すべての設問の出題の終了後に、前記放送システムからテレビ放送によって各受験者側受信装置へ送信されたものであることを特徴とする請求項１、２、３又は４記載のテレビ放送を利用した情報システム。
【請求項１０】
前記集計サーバの行なう採点結果の集計処理が、各受験者ごとの得点，順位、偏差値のデータの算出と、設問ごとの受験者全員についての平均値のデータの算出であることを特徴とする請求項１、２、３又は４記載のテレビ放送を利用した情報システム。
【発明の詳細な説明】
【０００１】
【発明の属する技術分野】
この発明は、テレビ放送を介して利用者端末へ問題を送って模擬試験等を行なうとともに、正答を配布することによって、利用者端末内で採点を行なうことができるようにした、テレビ放送を利用した情報システムに関する。
【０００２】
【従来の技術】
従来から、教育システムの一種として、講師が、構内テレビとイントラネットワークを利用して、テレビ放送を介して講義内容と試験問題とを送り、これに対して生徒が、解答をイントラネットワークを介して講師へ返送することによって、講師がこの解答状況とその内容に応じて、講義内容を改善してゆくことができるようにするシステムが提案されている。
また、これに類するものとして、試験実施者側で、テレビ放送等を介して試験内容と受験要領を告知して受験者を募集したのち試験問題を放送し、受験者側から解答をパソコン等を利用して通信回線を経由して集計装置側に入力させて、受験者ごとの解答を採点し合否を判定するとともに、偏差値，平均値等の統計処理を行って、テレビ放送を介して統計処理結果を告知するとともに、通信回線を介して個人別採点・判定結果等を受験者ごとに通知する、双方向型自動集計処理方法が提案されている（特開平８−２５５１４９号公報参照）。
【０００３】
【発明が解決しようとする課題】
上述の従来技術においては、解答を受験者から講師又は集計装置側へ返送するため、ネットワークを接続状態にしておく必要がある。
そのため、例えば、全国規模で各種の模擬試験等を行ったり、又は、クイズの回答募集等への適用を行おうとするような場合には、ネットワークへの接続コストが大きくなるとともに、ネットワークに大きな通信負荷がかかることになるという問題があった。
【０００４】
この発明は、上述の事情に鑑みてなされたものであって、テレビ放送等を利用して、多数の利用者に対して試験を行って解答結果の評価を行なうことを目的とする情報システムであって、試験実施者が受験者の解答を回収する必要がなく、従って、ネットワークへの接続時間が短いので、ネットワーク接続コストが低いとともに、ネットワークへの通信負荷が小さい、テレビ放送を利用した情報システムを提供することを目的としている。
【０００５】
【課題を解決するための手段】
上記課題を解決するため、請求項１記載の発明は、テレビ放送番組において試験のための設問を設問番号ごとにスケジュールに従って提示する映像・音声コンテンツと、前記各設問に対応する正答データと、前記試験の実行のために必要な実行データとからなるデータコンテンツとを提供するコンテンツ提供システムと、供給された前記映像・音声コンテンツと前記データコンテンツとをテレビ放送信号の形態で送信する放送システムと、前記テレビ放送信号を受信して、前記映像・音声コンテンツとデータコンテンツとに分離して、データ・コンテンツに含まれる各種のデータを蓄積手段に蓄積し、該蓄積された前記各種のデータに基づいて試験の実行のために必要な処理を行なうとともに、映像・音声コンテンツに基づく設問を設問番号ごとに表示し、前記設問に対応して入力された解答と正答とを照合して採点の処理を行なう複数の受験者側受信装置と、ネットワークを介して、各受験者側受信装置から送信されてきた採点結果を集計する処理を行なう集計サーバとを備えてなるテレビ放送を利用した情報システムに係り、前記放送システムが、前記コンテンツ提供システムから供給された前記映像・音声コンテンツに基づいて、テレビ放送のための映像信号と音声信号とを生成する映像・音声信号生成手段と、前記コンテンツ提供システムから供給される前記データコンテンツの中に含まれる個々のデータと、対応するデータ送出スケジュールとに基づいて、多重化すべきデータを生成するデータ生成手段と、前記映像・音声信号生成手段から供給される前記映像信号と前記音声信号と、前記データ生成手段から供給される多重化すべきデータとを所定の形式で多重化して多重化信号を生成する多重化手段とから構成されていることを特徴としている。
また、請求項２記載の発明は、テレビ放送番組において試験のための設問を設問番号ごとにスケジュールに従って提示する映像・音声コンテンツと、前記各設問に対応する正答データと、前記試験の実行のために必要な実行データとからなるデータコンテンツとを提供するコンテンツ提供システムと、供給された前記映像・音声コンテンツと前記データコンテンツとをテレビ放送信号の形態で送信する放送システムと、前記テレビ放送信号を受信して、前記映像・音声コンテンツとデータコンテンツとに分離して、データ・コンテンツに含まれる各種のデータを蓄積手段に蓄積し、該蓄積された前記各種のデータに基づいて試験の実行のために必要な処理を行なうとともに、映像・音声コンテンツに基づく設問を設問番号ごとに表示し、前記設問に対応して入力された解答と正答とを照合して採点の処理を行なう複数の受験者側受信装置と、ネットワークを介して、各受験者側受信装置から送信されてきた採点結果を集計する処理を行なう集計サーバとを備えてなるテレビ放送を利用した情報システムに係り、前記放送システムが、前記コンテンツ提供システムから供給された前記映像・音声コンテンツに基づいて、テレビ放送のための映像信号と音声信号とを生成する映像・音声信号生成手段と、前記データ・コンテンツの中に含まれる個々のデータを送出する際のデータ送出スケジュールが予め蓄積されているデータ送出スケジュールデータベースと、前記コンテンツ提供システムから供給された前記データコンテンツの中に含まれる個々のデータと、前記データ送出スケジュールデータベースから読み出された対応するデータ送出スケジュールとに基づいて、多重化すべきデータを生成するデータ生成手段と、前記映像・音声信号生成手段から供給される前記映像信号と前記音声信号と、前記データ生成手段から供給される多重化すべきデータとを所定の形式で多重化して多重化信号を生成する多重化手段とから構成されていることを特徴としている。
【０００６】
また、請求項３記載の発明は、テレビ放送番組において試験のための設問を設問番号ごとにスケジュールに従って提示する映像・音声コンテンツと、前記各設問に対応する正答データと、前記試験の実行のために必要な実行データとからなるデータコンテンツとを提供するコンテンツ提供システムと、供給された前記映像・音声コンテンツと前記データコンテンツとをテレビ放送信号の形態で送信する放送システムと、前記テレビ放送信号を受信して、前記映像・音声コンテンツとデータコンテンツとに分離して、データ・コンテンツに含まれる各種のデータを蓄積手段に蓄積し、該蓄積された前記各種のデータに基づいて試験の実行のために必要な処理を行なうとともに、映像・音声コンテンツに基づく設問を設問番号ごとに表示し、前記設問に対応して入力された解答と正答とを照合して採点の処理を行なう複数の受験者側受信装置と、ネットワークを介して、各受験者側受信装置から送信されてきた採点結果を集計する処理を行なう集計サーバとを備えてなるテレビ放送を利用した情報システムに係り、前記放送システムが、前記コンテンツ提供システムから供給された前記映像・音声コンテンツに基づいて、テレビ放送のための映像信号と音声信号とを生成する映像・音声信号生成手段と、前記コンテンツ提供システムから供給される前記データコンテンツの中に含まれる個々のデータと、対応するデータ送出スケジュールとに基づいて、多重化すべきデータを生成するデータ生成手段と、前記映像・音声信号生成手段から供給される前記映像信号と前記音声信号と、前記データ生成手段から供給される多重化すべきデータとを所定の形式で多重化して多重化信号を生成する多重化手段と、
前記多重化手段にて生成された前記多重化信号に同期信号を付加して前記テレビ放送信号を生成する送出手段とから構成されていることを特徴としている。
また、請求項４記載の発明は、テレビ放送番組において試験のための設問を設問番号ごとにスケジュールに従って提示する映像・音声コンテンツと、前記各設問に対応する正答データと、前記試験の実行のために必要な実行データとからなるデータコンテンツとを提供するコンテンツ提供システムと、供給された前記映像・音声コンテンツと前記データコンテンツとをテレビ放送信号の形態で送信する放送システムと、前記テレビ放送信号を受信して、前記映像・音声コンテンツとデータコンテンツとに分離して、データ・コンテンツに含まれる各種のデータを蓄積手段に蓄積し、該蓄積された前記各種のデータに基づいて試験の実行のために必要な処理を行なうとともに、映像・音声コンテンツに基づく設問を設問番号ごとに表示し、前記設問に対応して入力された解答と正答とを照合して採点の処理を行なう複数の受験者側受信装置と、ネットワークを介して、各受験者側受信装置から送信されてきた採点結果を集計する処理を行なう集計サーバとを備えてなるテレビ放送を利用した情報システムに係り、前記放送システムが、前記コンテンツ提供システムから供給された前記映像・音声コンテンツに基づいて、テレビ放送のための映像信号と音声信号とを生成する映像・音声信号生成手段と、前記データ・コンテンツの中に含まれる個々のデータを送出する際のデータ送出スケジュールが予め蓄積されているデータ送出スケジュールデータベースと、前記コンテンツ提供システムから供給された前記データコンテンツの中に含まれる個々のデータと、前記データ送出スケジュールデータベースから読み出された対応するデータ送出スケジュールとに基づいて、多重化すべきデータを生成するデータ生成手段と、前記映像・音声信号生成手段から供給される前記映像信号と前記音声信号と、前記データ生成手段から供給される多重化すべきデータとを所定の形式で多重化して多重化信号を生成する多重化手段と、前記多重化手段にて生成された前記多重化信号に同期信号を付加して前記テレビ放送信号を生成する送出手段とから構成されていることを特徴としている。
【０００７】
請求項５記載の発明は、請求項１、２、３又は４記載のテレビ放送を利用した情報システムに係り、前記試験の実行のために必要な実行データが、設問に対する解答を入力する際の操作を支援するための解答用紙に相当する情報であることを特徴としている。
また、請求項６記載の発明は、請求項５記載のテレビ放送を利用した情報システムに係り、前記解答用紙に相当する情報が、前記放送システムから予めテレビ放送信号を介して各受験者側受信装置へ送信されたものであることを特徴としている。
【０００８】
また、請求項７記載の発明は、請求項５記載のテレビ放送を利用した情報システムに係り、前記解答用紙に相当する情報が、各受験者側受信装置において、予め前記情報を格納した蓄積媒体から取り込んだものであることを特徴としている。
また、請求項８記載の発明は、請求項１、２、３又は４記載のテレビ放送を利用した情報システムに係り、前記正答データが、前記放送システムから予めテレビ放送信号によって各受験者側受信装置へ送信されたものであることを特徴としている。
【０００９】
また、請求項９記載の発明は、請求項１、２、３又は４記載のテレビ放送を利用した情報システムに係り、前記正答データが、すべての設問の出題の終了後に、前記放送システムからテレビ放送によって各受験者側受信装置へ送信されたものであることを特徴としている。
また、請求項１０記載の発明は、請求項１、２、３又は４記載のテレビ放送を利用した情報システムに係り、前記集計サーバの行なう採点結果の集計処理が、各受験者ごとの得点，順位、偏差値のデータの算出と、設問ごとの受験者全員についての平均値のデータの算出であることを特徴としている。
【００１０】
【作用】
この発明の構成では、コンテンツ提供システムから、テレビ放送番組において試験のための設問を設問番号ごとにスケジュールに従って提示する映像・音声コンテンツと、上記各設問に対応する正答データと、上記試験の実行のために必要な各種のデータとからなるデータコンテンツとを提供し、放送システムから、上記映像・音声コンテンツに基づいて生成した映像・音声信号をテレビ放送信号として送信し、複数の受信装置において、上記テレビ放送信号を受信して、上記映像・音声コンテンツとデータコンテンツとに分離して、データ・コンテンツに含まれるデータを蓄積手段に蓄積し、該蓄積されたデータに基づいて試験の実行のために必要な処理を行なうとともに、映像・音声コンテンツに基づく設問を設問番号ごとに表示し、上記設問に対応して入力された解答と正答とを照合して採点の処理を行ない、サーバが、ネットワークを介して各受信装置との間で相互に通信を行なうとともに、各受信装置から送信された採点結果を集計する処理を行なうので、テレビ放送の同報性と広域性を利用して、全国規模のような広範囲を対象として、一斉試験を実施することができ、特に、テレビ放送の広域性を活用することによって、交通不便な過疎地にも同じ条件で試験を実施することが可能になるとともに、この際、受験者端末のネットワークへの接続は、採点結果をサーバへアップロードするタイミングでのみ行えばよいので、ネットワークの通信コストを削減し、ネットワークの通信負荷を低減することができる。
【００１１】
【発明の実施の形態】
以下、図面を参照して、この発明の実施の形態について説明する。説明は、実施例を用いて具体的に行なう。
図１は、この発明の第１実施例であるテレビ放送を利用した情報システムの構成を示すブロック図、図２は、本実施例における放送システムの構成を示す図、図３は、本実施例における受信装置の構成を示す図である。
【００１２】
この例のテレビ放送を利用した情報システムは、図１に示すように、放送システム１１と、コンテンツ提供システム１２と、複数の受験者側受信装置（以下、単に、受信装置という）１３と、集計サーバ１４（以下、単に、サーバという）と、ネットワーク１５とから概略構成されている。さらに、放送システム１１と各受信装置１３とは、衛星放送波によって、放送衛星１６からそれぞれ放送衛星波テレビアンテナ１７を経て接続されるか、又は地上波放送波によって、テレビ中継局１８からそれぞれ地上波テレビアンテナ（不図示）を経て接続されている。
【００１３】
放送システム１１は、テレビ番組を構成する、映像と音声からなるテレビ放送情報に、さらにテキスト，プログラム，スクリプト等のデータを放送帯域内で多重化して生成した送信信号によって、テレビ放送信号を送出する。
コンテンツ提供システム１２は、放送用の映像（音声を含む）コンテンツと、テキスト，プログラム，スクリプト等のデータコンテンツを送信ケジュールに従って生成する機能を有している。データコンテンツには、番組内で用いる、出題に対する設問番号ごとの正答データ等が含まれている。
複数の受信装置１３は、テレビ放送を受信する機能を有するとともに、受信信号中の映像コンテンツとデータとを分離する機能を有し、分離したデータを一旦、蓄積して、必要なときこのデータによって採点等のプログラム処理を行なうとともに、採点結果等のデータを、ネットワーク１５を経てサーバ１４にアップロードする。
サーバ１４は、コンテンツ提供システム１２から必要に応じてデータを入力されるとともに、複数の受信装置１３との間で相互にデータ通信を行ない、複数の受信装置１３からアップロードされた設問番号ごとの採点結果等のデータに対して、所定の集計処理を行なう。
ネットワーク１５は、十分に高速なＬＡＮ（Local Area Network）等からなり、複数の受信装置１３とサーバ１４とを接続して、各受信装置１３とサーバ１４との間で、相互にデータの送受信を可能にする。
【００１４】
また、放送システム１１は、図２に示すように、映像・音声信号生成手段２１と、データ生成手段２２と、データ送出スケジュールデータベース（ＤＢ）２３と、多重化手段２４と、送出手段２５とから構成されている。
映像・音声信号生成手段２１は、コンテンツ提供システム１２からの映像コンテンツに基づいて、テレビ放送のための映像信号と音声信号とを生成する。データ生成手段２２は、コンテンツ提供システム１２からのデータコンテンツに基づいて生成したデータと、データ送出スケジュールＤＢ２３から読み出されたスケジュールとに基づいて、映像信号に多重化すべきデータを生成する。データ送出スケジュールＤＢ２３は、データを送出する際のスケジュールを予め蓄積されている。多重化手段２４は、映像・音声信号生成手段２１からの映像信号と音声信号とを多重化するとともに、さらにデータ生成手段２２からのデータを所定の形式で多重化する。送出手段２５は、多重化手段２４からの多重化された信号に対して、同期信号等を付加してテレビ放送信号を生成する。
【００１５】
また、受信装置１３は、図３に示すように、受信手段３１と、信号処理手段３２と、入力手段３３と、表示手段３４と、蓄積手段３５と、演算処理手段３６と、通信手段３６とから構成されている。
受信手段３１は、テレビ放送信号を受信する。信号処理手段３２は、受信したテレビ放送信号を映像信号及び音声信号と、データとに分離する。入力手段３３は、キーボード等からなり、視聴者（受験者）が、主として設問に対する解答内容を入力する。蓄積手段３５は、信号分離手段３２で分離されたデータを一旦、蓄積する。演算処理手段３６は、演算処理を実行する中央処理装置（ＣＰＵ）３６ａと、演算に必要なデータを一時的に保持するＲＡＭ（Random Access Memory）３６ｂと、プログラム等の情報を蓄積しているＲＯＭ（Read Only Memory）３６ｃとを有し、受信装置全体の動作を制御するとともに、蓄積手段３５から出力されたデータに対して、所要の演算処理を行なう。通信手段３７は、ネットワーク１５を介してサーバ１４と接続して相互に通信を行ない、演算処理手段３６からのデータをサーバ１４にアップロードする。
【００１６】
次に、図１〜図３を参照して、この例のテレビ放送を利用した情報システムの動作を説明する。
この例のテレビ放送を利用した情報システムによって実施可能な一斉試験を行なう場合には、設問に該当する映像をテレビ番組に構成して、放送システム１１から、各設問を時間の進行に合わせて放送する。この際、視聴者（受験者）が設問に対する解答を入力する際の操作を支援するための情報として、ＧＵＩ（Graphical User Interface）を含む、所定形式からなる、解答用紙に相当するデータを、番組の開始前、又は番組の開始から設問の開始までの期間に、テレビ放送におけるデータ多重領域に多重化して、予め配信する。解答用紙に相当するデータは、サーバ１４から、ネットワーク１５を介して各受信装置１３へ送るようにしてもよい。
なお、テレビ放送によって送信されるデータとしては、テキストだけが想定されるものではなく、例えば設問の開始，終了及び解答期限の指定に該当する内容を表す、プログラムを制御するために別途定義したデータを受けたときに所要の制御が行われるような、簡単なプログラム処理を含むものとする。
さらに、各設問に対応する正答データを、設問番号ごとにテレビ放送にデータ多重して、前述の解答用紙に当たるデータと同様に、予め配信しておく。正答データは、サーバ１４から、ネットワーク１４を介して各受信装置１３へ送るようにしてもよい。
受信装置１３では、これらのデータを受信したとき、これを蓄積手段３５に蓄積する。
【００１７】
放送された試験のためのテレビ映像は、表示手段３４において表示される。表示手段３４に表示されたテレビ映像において、設問は、番組の進行に応じて、適当な時間間隔で、順次、設問番号ごとに出題されるとともに、音声によっても示されるので、受験者は設問ごとに、対応する解答を入力手段３３から入力することができる。
演算処理手段３６では、予め配布されて蓄積手段３５に蓄積されている正答を設問番号ごとに読み出して、入力された解答と照合して、正否の判定と採点とを行なう。
【００１８】
受信装置１３において、すべての設問について、解答の入力と、採点の処理とが終了したとき、演算処理手段３６は、採点結果を、表示手段３４において表示するとともに、採点結果を、ネットワーク１５を介してサーバ１４にアップロードするように、通信手段３７を制御する。
サーバ１４では，各受信装置１３からの採点結果を入手したとき、所定の形式で集計を行って、各受験者ごとの得点，順位、偏差値等のデータを算出するとともに、設問ごとの受験者全員についての平均値等のデータを算出する。
その後、コンテンツ提供システム１２に対して、試験参加者全員についての設問番号ごとの平均値等の集計結果を送信する。番組の構成によっては、この集計結果を、放送システム１１を介して、放送することも可能である。
これと同時に、受信装置１３からネットワーク１５を介して、受験者ごとの順位，偏差値等の問い合わせがあったとき、サーバ１４は、集計結果に基づいて、ネットワーク１５を介して、問い合わせに対する回答を行なう。
【００１９】
このように、この例のテレビ放送を利用した情報システムによれば、多数の受験者を対象として、同一設問による一斉試験を実施する際に、テレビ放送の広域性と同報性とから、大規模な試験を行なうことが可能であるとともに、過疎地の居住者等に対しても試験を行なうことができるので、例えば、全国規模の各種模擬試験等を実施する場合に効果的であるとともに、この際、受信装置側からネットワークへの接続は、サーバに対して採点結果をアップロードする際にのみ行えばよいので、ネットワーク接続のためのコストを削減し、ネットワークの通信負荷を低減することが可能になる。
【００２０】
以上、この発明の実施例を図面により詳述してきたが、具体的な構成はこの実施例に限られたものではなく、この発明の要旨を逸脱しない範囲の設計の変更等があってもこの発明に含まれる。例えば、設問に対する解答を入力する際の操作を支援するための情報としての、設問の解答用紙に相当するデータ及びプログラムは、実施例ではテレビ放送に多重したデータによって受験者へ送るものとしたが、これに限るものでなく、ネットワークを介して送ってもよく、又はＣＤ−ＲＯＭ（Compact Disc Read Only Memory ）等の蓄積媒体に格納して、郵便その他の方法で予め配布することによって、受信装置でこれから読み出して蓄積手段３５に蓄積するようにしてもよい。また、実施例においては、設問に対応する正答を、予めデータ放送する場合について説明したが、これに限るものではなく、正答データの受験者端末への配布方法としては、コンテンツ提供システム１２からサーバ１４へ送信することによって、サーバ１４からネットワーク１５を経て各受信装置１３へ予め配信するようにしてもよく、又は、設問の出題タイミングに合わせて、それぞれの正答を設問番号を識別するためのデータを同封したパケットとして放送システム１１からデータ放送してもよく、又はすべての問題の出題終了後に放送システム１１からデータ放送するか、又はサーバ１４からネットワーク１５を経て配信するようにしてもよい。また、衛星放送テレビ信号又は地上波放送テレビ信号は、ディジタル放送信号でもよく、又はアナログ放送信号でもよい。
【００２１】
【発明の効果】
以上、説明したように、この発明のテレビ放送を利用した情報システムによれば、テレビ放送の同報性と広域性を利用することによって、全国規模のような広範囲を対象として、一斉試験を実施することができ、特に、テレビ放送の広域性を活用することによって、交通不便な過疎地にも同じ条件で試験を実施することが可能になるので、従来のように、この種の全国的な試験のために、試験会場へ集合するための時間と労力が不要になるとともに、この際、受験者端末のネットワークへの接続は、採点結果をサーバへアップロードするタイミングでのみ行えばよいので、ネットワークの通信コストを削減し、ネットワークの通信負荷を低減することができる。
【図面の簡単な説明】
【図１】この発明の第１実施例であるテレビ放送を利用した情報システムの構成を示すブロック図である。
【図２】本実施例における放送システムの構成を示すブロック図である。
【図３】本実施例における受信装置の構成を示すブロック図である。
【符号の説明】
１１      放送システム
１２      コンテンツ提供システム
１３      受信装置
１４      サーバ
１５      ネットワーク
２１      映像・音声信号生成手段
２２      データ生成手段
２３      データ送出スケジュールＤＢ
２４      多重化手段
２５      送出手段
３１      受信手段
３２      信号処理手段
３３      入力手段
３４      表示手段
３５      蓄積手段
３６      演算処理手段
３７      通信手段
【図１】
0003695324.tif 000002
【図２】
0003695324.tif 000003
【図３】
0003695324.tif 000004